【手続補正書】
【提出日】平成29年5月29日(2017.5.29)
【手続補正１】
【補正対象書類名】特許請求の範囲
【補正対象項目名】全文
【補正方法】変更
【補正の内容】
【特許請求の範囲】
【請求項１】
ユーザが所有する複数枚の画像からなる画像群を取得する画像取得部と、
前記複数枚の画像の各々の画像解析情報を取得する画像解析情報取得部と、
前記画像解析情報に基づいて、あらかじめ定義された嗜好の中から前記画像群が示す前記ユーザの嗜好を分析する嗜好分析部と、
前記複数枚の画像の中から、前記画像解析情報に基づいて、前記ユーザの嗜好に対応する一定枚数の画像を選択し、前記選択された一定枚数の画像を使用して、あらかじめ定義されたパターンの中から選択された複数のパターンの合成画像を生成する合成画像生成部と、
前記ユーザにより入力された指示を受け取る指示入力部と、
画像を表示する画像表示部と、
前記複数のパターンの合成画像の中から選択された１枚の合成画像を前記画像表示部に表示し、前記指示入力部を介して入力された指示に基づいて、前記画像表示部に表示された合成画像を、前記複数のパターンの合成画像の中から前記指示により指定された１枚の合成画像に切り替えて前記画像表示部に表示するように制御する表示制御部とを備えることを特徴とする画像処理装置。
【請求項２】
前記表示制御部は、前記画像表示部に表示された合成画像とともに、前記複数のパターンの合成画像の各々に対応する複数のボタンを前記画像表示部に表示し、前記指示入力部を介して入力された指示に基づいて、前記画像表示部に表示された合成画像を、前記複数のパターンの合成画像の中から前記指示により前記複数のボタンの中から指定された１つのボタンに対応する１枚の合成画像に切り替えて前記画像表示部に表示するように制御するものである請求項１に記載の画像処理装置。
【請求項３】
前記表示制御部は、前記複数のパターンの合成画像の優先度に応じて、前記複数のボタンの配列を変更して表示するものである請求項２に記載の画像処理装置。
【請求項４】
さらに、前記画像表示部に表示された合成画像のレイアウトの編集で使用される画像として、前記複数枚の画像の中から、前記画像表示部に表示された合成画像で使用されている画像を含む複数枚の候補画像を選択する候補画像選択部を備え、
前記表示制御部は、前記指示入力部を介して入力された指示に基づいて、前記画像表示部に表示された合成画像とともに、前記候補画像選択部により選択された複数枚の候補画像を前記画像表示部に表示するように制御するものである請求項１〜３のいずれか１項に記載の画像処理装置。
【請求項５】
前記候補画像選択部は、前記レイアウトの編集で使用される画像として、前記画像表示部に表示された合成画像で使用されている画像に加えて、前記複数枚の画像の中から、前記画像表示部に表示された合成画像のパターンに合致する１枚以上の画像を含む複数枚の候補画像を選択するものである請求項４に記載の画像処理装置。
【請求項６】
前記表示制御部は、前記画像表示部に表示された複数枚の候補画像のうち、前記画像表示部に表示された合成画像で使用されている画像の各々に対して、前記画像表示部に表示された合成画像で使用されている画像であることを表すマークを表示するように制御するものである請求項４または５に記載の画像処理装置。
【請求項７】
さらに、前記画像解析情報に基づいて、前記複数枚の候補画像の各々の評価値を算出する画像評価部を備え、
前記画像評価部は、前記画像表示部に表示された合成画像のパターンに合致する画像内容の候補画像の評価値が、前記画像表示部に表示された合成画像のパターンに合致しない画像内容の候補画像の評価値よりも高くなるようにするものであり、
前記表示制御部は、前記画像表示部に表示された複数枚の候補画像の各々に対して、前記評価値を表すマークを表示するように制御するものである請求項４〜６のいずれか１項に記載の画像処理装置。
【請求項８】
さらに、前記レイアウトの編集で行われる複数種類の編集処理について、各々の種類の前記編集処理に含まれる複数の処理内容の中から、前記画像表示部に表示された合成画像のパターンに合致する処理内容を選択する処理内容選択部を備え、
前記表示制御部は、前記指示入力部を介して入力された指示に基づいて、前記画像表示部に表示された合成画像とともに、前記指示により指定された種類の編集処理の処理内容として、前記処理内容選択部により選択された処理内容を前記画像表示部に表示するように制御するものである請求項４〜７のいずれか１項に記載の画像処理装置。
【請求項９】
さらに、前記指示入力部を介して入力された指示に基づいて、前記画像表示部に表示された合成画像のレイアウトを編集するレイアウト編集部を備え、
前記レイアウト編集部は、前記画像表示部に表示された複数枚の候補画像、および、前記画像表示部に表示された編集処理の処理内容の少なくとも一方を使用して、前記画像表示部に表示された合成画像のレイアウトを編集するものである請求項８に記載の画像処理装置。
【請求項１０】
前記合成画像生成部は、一定枚数の合成画像を生成するものである請求項１〜９のいずれか１項に記載の画像処理装置。
【請求項１１】
前記合成画像生成部は、前記合成画像の候補となる複数のパターンの候補合成画像を生成し、前記複数のパターンの候補合成画像の中から選択された一定枚数の候補合成画像を前記合成画像として出力するものであり、前記複数のパターンの候補合成画像のうちの任意の２つのパターンの前記候補合成画像に含まれた画像の一致度が閾値以上である場合に、前記一致度が閾値以上である２つのパターンの候補合成画像のうちの一方を前記合成画像として出力し、他方を前記合成画像として出力しないものである請求項１０に記載の画像処理装置。
【請求項１２】
前記画像解析情報取得部は、前記複数枚の画像の各々の画像解析を行って前記画像解析情報を取得するものである請求項１〜１１のいずれか１項に記載の画像処理装置。
【請求項１３】
前記画像解析情報取得部は、前記複数枚の画像の各々について所定の種類のオブジェクトを認識し、
前記嗜好分析部は、前記画像解析情報取得部が前記所定の種類のオブジェクトを認識したときに、前記あらかじめ定義された嗜好の中から、所定の種類の人物を優先するとの嗜好を前記ユーザの嗜好と分析するものである請求項１〜１２のいずれか１項に記載の画像処理装置。
【請求項１４】
画像取得部が、ユーザが所有する複数枚の画像からなる画像群を取得するステップと、
画像解析情報取得部が、前記複数枚の画像の各々の画像解析情報を取得するステップと、
嗜好分析部が、前記画像解析情報に基づいて、あらかじめ定義された嗜好の中から前記画像群が示す前記ユーザの嗜好を分析するステップと、
合成画像生成部が、前記複数枚の画像の中から、前記画像解析情報に基づいて、前記ユーザの嗜好に対応する一定枚数の画像を選択し、前記選択された一定枚数の画像を使用して、あらかじめ定義されたパターンの中から選択された複数のパターンの合成画像を生成するステップと、
表示制御部が、前記複数のパターンの合成画像の中から選択された１枚の合成画像を画像表示部に表示し、指示入力部を介して入力された指示に基づいて、前記画像表示部に表示された合成画像を、前記複数のパターンの合成画像の中から前記指示により指定された１枚の合成画像に切り替えて前記画像表示部に表示するように制御するステップとを含むことを特徴とする画像処理方法。
【請求項１５】
前記表示制御部は、前記画像表示部に表示された合成画像とともに、前記複数のパターンの合成画像の各々に対応する複数のボタンを前記画像表示部に表示し、前記指示入力部を介して入力された指示に基づいて、前記画像表示部に表示された合成画像を、前記複数のパターンの合成画像の中から前記指示により前記複数のボタンの中から指定された１つのボタンに対応する１枚の合成画像に切り替えて前記画像表示部に表示するように制御する請求項１４に記載の画像処理方法。
【請求項１６】
さらに、候補画像選択部が、前記画像表示部に表示された合成画像のレイアウトの編集で使用される画像として、前記複数枚の画像の中から、前記画像表示部に表示された合成画像で使用されている画像を含む複数枚の候補画像を選択するステップと、
前記表示制御部が、前記指示入力部を介して入力された指示に基づいて、前記画像表示部に表示された合成画像とともに、前記候補画像選択部により選択された複数枚の候補画像を前記画像表示部に表示するように制御するステップとを含む請求項１４または１５に記載の画像処理方法。
【請求項１７】
さらに、処理内容選択部が、前記レイアウトの編集で行われる複数種類の編集処理について、各々の種類の前記編集処理に含まれる複数の処理内容の中から、前記画像表示部に表示された合成画像のパターンに合致する処理内容を選択するステップと、
前記表示制御部が、前記指示入力部を介して入力された指示に基づいて、前記画像表示部に表示された合成画像とともに、前記指示により指定された種類の編集処理の処理内容として、前記処理内容選択部により選択された処理内容を前記画像表示部に表示するように制御するステップとを含む請求項１４〜１６のいずれか１項に記載の画像処理方法。
【請求項１８】
前記画像解析情報を取得するステップは、前記複数枚の画像の各々について所定の種類のオブジェクトを認識し、
前記ユーザの嗜好を分析するステップは、前記画像解析情報を取得するステップが前記所定の種類のオブジェクトを認識したときに、前記あらかじめ定義された嗜好の中から、所定の種類の人物を優先するとの嗜好を前記ユーザの嗜好と分析する請求項１４〜１７のいずれか１項に記載の画像処理方法。
【請求項１９】
請求項１４〜１８のいずれか１項に記載の画像処理方法の各々のステップをコンピュータに実行させるためのプログラム。
【請求項２０】
請求項１４〜１８のいずれか１項に記載の画像処理方法の各々のステップをコンピュータに実行させるためのプログラムが記録されたコンピュータ読み取り可能な記録媒体。
【手続補正２】
【補正対象書類名】明細書
【補正対象項目名】０００９
【補正方法】変更
【補正の内容】
【０００９】
上記目的を達成するために、本発明は、ユーザが所有する複数枚の画像からなる画像群を取得する画像取得部と、
複数枚の画像の各々の画像解析情報を取得する画像解析情報取得部と、
画像解析情報に基づいて、あらかじめ定義された嗜好の中から画像群が示すユーザの嗜好を分析する嗜好分析部と、
複数枚の画像の中から、画像解析情報に基づいて、ユーザの嗜好に対応する一定枚数の画像を選択し、選択された一定枚数の画像を使用して、あらかじめ定義されたパターンの中から選択された複数のパターンの合成画像を生成する合成画像生成部と、
ユーザにより入力された指示を受け取る指示入力部と、
画像を表示する画像表示部と、
複数のパターンの合成画像の中から選択された１枚の合成画像を画像表示部に表示し、指示入力部を介して入力された指示に基づいて、画像表示部に表示された合成画像を、複数のパターンの合成画像の中から指示により指定された１枚の合成画像に切り替えて画像表示部に表示するように制御する表示制御部とを備えることを特徴とする画像処理装置を提供するものである。
【手続補正３】
【補正対象書類名】明細書
【補正対象項目名】００１８
【補正方法】削除
【補正の内容】
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】削除
【補正の内容】
【手続補正６】
【補正対象書類名】明細書
【補正対象項目名】００２３
【補正方法】変更
【補正の内容】
【００２３】
また、画像解析情報取得部は、複数枚の画像の各々の画像解析を行って画像解析情報を取得するものであることが好ましい。
また、画像解析情報取得部は、複数枚の画像の各々について所定の種類のオブジェクトを認識し、
嗜好分析部は、画像解析情報取得部が所定の種類のオブジェクトを認識したときに、あらかじめ定義された嗜好の中から、所定の種類の人物を優先するとの嗜好をユーザの嗜好と分析するものであることが好ましい。
【手続補正７】
【補正対象書類名】明細書
【補正対象項目名】００２４
【補正方法】変更
【補正の内容】
【００２４】
また、本発明は、画像取得部が、ユーザが所有する複数枚の画像からなる画像群を取得するステップと、
画像解析情報取得部が、複数枚の画像の各々の画像解析情報を取得するステップと、
嗜好分析部が、画像解析情報に基づいて、あらかじめ定義された嗜好の中から画像群が示すユーザの嗜好を分析するステップと、
合成画像生成部が、複数枚の画像の中から、画像解析情報に基づいて、ユーザの嗜好に対応する一定枚数の画像を選択し、選択された一定枚数の画像を使用して、あらかじめ定義されたパターンの中から選択された複数のパターンの合成画像を生成するステップと、
表示制御部が、複数のパターンの合成画像の中から選択された１枚の合成画像を画像表示部に表示し、指示入力部を介して入力された指示に基づいて、画像表示部に表示された合成画像を、複数のパターンの合成画像の中から指示により指定された１枚の合成画像に切り替えて画像表示部に表示するように制御するステップとを含むことを特徴とする画像処理方法を提供する。
【手続補正８】
【補正対象書類名】明細書
【補正対象項目名】００２７
【補正方法】変更
【補正の内容】
【００２７】
さらに、処理内容選択部が、レイアウトの編集で行われる複数種類の編集処理について、各々の種類の編集処理に含まれる複数の処理内容の中から、画像表示部に表示された合成画像のパターンに合致する処理内容を選択するステップと、
表示制御部が、指示入力部を介して入力された指示に基づいて、画像表示部に表示された合成画像とともに、指示により指定された種類の編集処理の処理内容として、処理内容選択部により選択された処理内容を画像表示部に表示するように制御するステップとを含むことが好ましい。
また、画像解析情報を取得するステップは、複数枚の画像の各々について所定の種類のオブジェクトを認識し、
ユーザの嗜好を分析するステップは、画像解析情報を取得するステップが所定の種類のオブジェクトを認識したときに、あらかじめ定義された嗜好の中から、所定の種類の人物を優先するとの嗜好をユーザの嗜好と分析することが好ましい。